(57)【要約】【課題】供花が台風などにさらされ、それに伴い花筒を収容している花立石が転倒することを防止するために、作業が簡単かつコストが低廉な加工を施した墓石を提供すること。【解決手段】固定した台座石１１の上に中台石や竿石を重ねて載置し、供花を挿す花筒を収容する一対の花立石１５を台座石１１の前面に設置する墓石であって、各花立石１５の背面の中央部よりも上端部寄りに、斜め上に伸びる第１の有底穴１５Ｈを穿設するとともに、花立石１５が接触する台座石１１の正面に、第１の有底穴１５Ｈと開口部同士の高さと径が一致する第２の有底穴１１Ｈを斜め下に向かって穿設し、花立石１５と台座石１１とが当接して形成された第１の有底穴１５Ｈと第２の有底穴１１Ｈとからなる空間２０内に棒状の連結ピン３０を挿入し、これによって花立石１５と台座石１１とをそれぞれの上端部寄りで連結する。【選択図】図５
0003208655.tif 000002
【実用新案登録請求の範囲】
【請求項１】
固定した台座石の上に中台石や竿石を重ねて載置し、供花を挿す花筒を収容する一対の花立石を前記台座石の前面に設置する墓石であって、前記の各花立石の背面の中央部よりも上端部寄りに、斜め上に伸びる第１の有底穴を穿設するとともに、前記花立石が接触する前記台座石正面に、前記第１の有底穴と開口部同士の高さと径が一致する第２の有底穴を斜め下に向かって穿設し、前記花立石と前記台座石とが当接して形成された前記第１の有底穴と前記第２の有底穴とからなる空間内に棒状の連結ピンを挿入したことを特徴とする墓石。
【請求項２】
前記連結ピンはステンレス製であることを特徴とする請求項１に記載の墓石。
【考案の詳細な説明】
【技術分野】
【０００１】
台風のような大風や地震の揺れに伴い、墓前に供えた花と共に花立石が転倒しないようにするための加工が施された墓石に関する。
【背景技術】
【０００２】
地震や台風などの自然災害の多い日本では、墓石が倒壊することもしばしばである。
特に花筒を収容する花立石は、底面の大きさに比べて重心の位置が高いので安定性に欠ける。風を受けやすい花が供えられている状態で、大風に見舞われたりすると、供花が風下に大きく傾き、それに伴い花立石も傾いて転倒することがある。墓を構成する他の石に比べ、花立石は転倒による破損の危険性が高く、破損した都度取り替えたり補修したりしなくてはならない。転倒を防ぐ為に、台風などが近づいたときには、墓前に供えた花を取り除けばよいのであるが、これがなかなか難しい。お墓が人家のすぐ近くにあるとは限らず、山の中腹のような不便な場所にあったりすることも珍しくない。台風のような大風の発生が間近に迫ったとき、供花を花筒から抜くためだけに山道を行き来することは容易なことではない。そのうえ、秋のお彼岸には多くの墓前に花が供えられるが、この時期は台風が発生する時期と重なる。
そのため、たとえ風を受ける面積の大きい供花が挿されていたとしても、花立石が転倒しないような工夫が望まれる。
【０００３】
花立石に限らず、一般に墓石の倒壊を防止するための技術が特許文献１〜３をはじめとして多数開示されている。
特許文献１には、中子を利用した墓石の免震構造に関する技術が開示されているが、花立石にも小型の中子を設置し倒壊防止を図っている（段落〔００６１〕）。
特許文献２には、嵌め込み穴と嵌め込み溝を利用して石同士の位置ずれや転倒防止を図ることが記載されている。
特許文献３には、花立石を接着剤で固着することが記載されている（段落〔０００７〕）。
【先行技術文献】
【特許文献】
【０００４】
【特許文献１】特開２００５−１６２８９号公報
【特許文献２】特開２００２−３７１７２９号公報
【特許文献３】実用新案登録第３１８４９８２号公報
【考案の概要】
【考案が解決しようとする課題】
【０００５】
特許文献１の「免震構造墓石」は、地震の揺れからの被害の防止を目的とするが、台風などの風による被害も効果的に防止できる。しかしながら、設置した中子を台石に固定するためにボルト締めの作業が必要になる。この作業は、墓石の設置現場で行うため、墓と墓との間が狭い墓地や地面が傾斜している墓地には適さない。また、現場での作業が長くなるので、費用もかかる。
特許文献２の「耐震墓石・墓標」は、嵌め込み穴又は嵌め込み溝が設けられているので、石を加工するコストがかかる。
特許文献３の「墓石」には、接着剤が用いられているが、墓石は風雨にさらされる屋外にある以上、接着剤の劣化は避けようがない。また、墓石を撤去したり、花立石を取り替えたりする際、接着剤を剥がす作業も発生する。
【０００６】
本願考案は、上記の問題点に鑑み、大風や地震の揺れによる花立石の転倒を簡単に且つ低廉なコストで防ぐことができる墓石の提供を目的とする。
【課題を解決するための手段】
【０００７】
上記の目的を実現するために、請求項１に係る考案は、  
固定した台座石の上に中台石や竿石を重ねて載置し、供花を挿す花筒を収容する一対の花立石を前記台座石の前面に設置する墓石であって、前記の各花立石の背面の中央部よりも上端部寄りに、斜め上に伸びる第１の有底穴を穿設するとともに、前記花立石が接触する前記台座石正面に、前記第１の有底穴と開口部同士の高さと径が一致する第２の有底穴を斜め下に向かって穿設し、前記花立石と前記台座石とが当接して形成された前記第１の有底穴と前記第２の有底穴とからなる空間内に棒状の連結ピンを挿入したことを特徴とする。
これによって前記花立石と前記台座石とが、それぞれの上端部寄りの位置において連結ピンで連結され固定されるので、大風や地震の揺れによっても花立石の転倒を防ぐことができる。
【０００８】
前記連結ピンはステンレス製であることが好ましい。
これにより、市販のステンレスの棒を必要な長さだけ切断して用いることができる。
また、ステンレスは硬度があって錆びないので、長期間の使用に耐える。
【考案の効果】
【０００９】
本考案の墓石は、台風のような大風による花立台の転倒を防止できる。しかも、この効果を低廉な費用と簡単な作業で実現できる。
【図面の簡単な説明】
【００１０】
【図１】実施形態の墓石の（１）斜視図、（２）正面図、（３）平面図である。
【図２】実施形態の墓石に花を供えた状態の（１）右側面図、（２）正面図である。
【図３】実施形態の供花に強い風が横から吹き付け、（１）→（２）→（３）の順に供花が斜めに傾き、花立石も傾く状態を示す説明図である。
【図４】実施形態の台座石と花立石に有底穴をあけた状態を示す（１）右側面図、（２）台座石の正面図、（３）花立石の背面図である。
【図５】（１）〜（４）の各断面図は、実施形態において、棒状の連結ピンを台座石および花立石に設ける手順を説明する図である。
【図６】（１）は、花筒に挿した花に後方から風が吹き付ける状態を示す図である。（２）は連結ピンが水平の場合を示し、（３）は連結ピンが台座石から花立石に向かって下向きに傾斜している場合を示し、実施形態との対比を説明するための図である。
【考案を実施するための形態】
【００１１】
本考案の実施形態について、図面を参照しながら説明する。
墓石１は、図１に示すように台座石１１、中台石１２、竿石１３を積み重ねて構成される。台座石１１の前面には供物台１４（図１（１）以外では、図示を省略）が配置され、この供物台１４の左右に一対の花立石１５ａ、１５ｂが配置される。花立石１５の内部の空洞１５１には、ステンレスなどの金属製の花筒１５２が収容されている。
【００１２】
図２は、花立石１５（１５ａ，１５ｂ）内に収容されている花筒１５２に花Ｆを供えた状態を示している。
供花Ｆを挿した花立石１５（１５ａ，１５ｂ）を転倒させるおそれがある風には、図２（１）の右側面図に示すような墓石１の後方から吹き付けてくる風Ｗ１がある。また、図２（２）の正面図に示すように右側の花立石１５ａに挿した供花Ｆに左側から吹き付ける風Ｗ２と、左側の花立石１５ｂに挿した供花Ｆに右側から吹き付ける風Ｗ３とがある。
【００１３】
図３に従い、供花Ｆに吹き付ける風の影響を説明する。
図３（１）は、右側の花立石１５ａに供花Ｆを挿した状態を示す右側面図である。墓石１の後方から前方に向かって吹く風Ｗ１が、供花Ｆに吹き付けると供花Ｆが風Ｗ１の風圧の影響を強く受け（図３（２））、これが花立石１５ａを傾かせ、傾きが復元不可能な限度を超えると花立石１５ａは供花Ｆともども転倒する（図３（３））。
【００１４】
台風のような大風が吹き荒れても、供花Ｆが挿された花立石１５を転倒させないようにするために、本実施形態では、台座石１１と花立石１５とを連結ピン３０で連結する。
以下、図４〜図６に従い説明する。
【００１５】
図４（１）の右側面図に示すように、台座石１１と花立石１５ａのそれぞれの当接面にドリルで有底穴１１Ｈ（請求項１の「第２の有底穴」に相当）と１５Ｈ（請求項１の「第１の有底穴」に相当）をあける。図４（２）および（３）に示すように、有底穴１１Ｈの開口と有底穴１５Ｈの開口の底面からの高さｈ１、ｈ２を一致させる。
台座石１１と花立石１５を当接させると、有底穴１１Ｈと１５Ｈとは、直線状の連結ピンが挿入できるような細長い空間２０を形成する。この連結ピンの挿入部２０は、台座石１１から花立石１５ａに向かって上方に傾斜している。
花立石１５ａ、１５ｂには有底穴１５Ｈをそれぞれ１個設け、台座石１１には、花立石１５ａと１５ｂとが当接する箇所に１個ずつ計２個の有底穴を設ける。
この穴あけの作業は、工場や現場で容易にできる。
【００１６】
次に、図５に従い、墓石を設置する現場での施工法について説明する。
まず、台座石１１を設置する（図５（１））。前面の有底穴１１Ｈ内に、棒状の連結ピン３０を挿入する（図５（２））。なお、見易さを考慮して、図５では連結ピン３０を黒く塗りつぶしている。
続いて、花立石１５ａを上に持ち上げ有底穴１５Ｈの入り口と連結ピン３０の他端とを位置あわせする（図５（３））。位置が決まったなら、連結ピン３０を有底穴１５Ｈに挿入する。これにより、花立石１５ａは台座石１１と連結し固定されたことになる。
連結ピン３０は、硬度が高く錆びたり腐食したりしづらいステンレスの棒が好ましい。また、径が３ｍｍ〜５ｍｍの市販のステンレスの棒を、必要な長さに切断して用いればよい。
現場での作業は、従来の墓石の設置作業に、図５（１）〜（４）に示す手間が追加されただけである。そのうえ、花立石１５ａと台座石１１との連結箇所にボルト締めを行ったり、モルタルやコンクリートで接着したりしていないので、この追加作業はきわめて簡単である。
しかも、従来の墓石には見られない次のような効果がある。
【００１７】
図６（１）に示すように、墓石の後方から前方に向かって風Ｗ１が吹き付けてきたとしても、連結ピン３０によって花立石１５ａが台座石１１と連結し固定されているので、花立石１５ａが転倒することはない。連結ピン３０が台座石１１から花立石１５ａに向かって上方に傾斜しているので、花立石１５ａを斜め上に持ち上げでもしない限り、連結ピン３０が花立石１５から外れることはない。つまり、花立石１５へ人為的な力が加えられたり、大地震が発生したりといった例外的な場合を除き、花立石１５の自重によって、大風や地震の揺れでは倒れない。一方で、花立石１５ａは斜め上に持ち上げるだけで台座石１１から簡単に取り外せるので、従来同様取り外して掃除もできる。
ここで、連結ピン３０は、花立石１５ａ側に上向きに傾斜していることが重要である。もし、図６（２）のように、連結ピンを水平に設けているのであれば、後方からの風Ｗ１によって、外れかねない。また、図６（３）のように連結ピンが花立石１５ａ側に下向きに傾斜している場合も、転倒の危険性はありうる。
【００１８】
以上、後方からの風Ｗ１による転倒防止について説明してきた。
図２（２）の墓石正面に対して横から吹き付ける風Ｗ２，Ｗ３についても、連結ピン３０によって、花立石１５の転倒を防止できることは風Ｗ１の場合と同様である。
なお、墓石の前方から後方に向かって吹き付ける風は、台座石１１が支えるので花立石１５は転倒することはない。供花Ｆの上方から下に向かって吹き付ける風については、花立石１５の自重によって転倒することはない。
上記の説明は、台風などの大風からの転倒防止に関するものであった。しかし、地震の揺れに関しても、斜めに設けた連結ピン３０による転倒防止の効果があることは言うまでもない。
【００１９】
以上、本考案の特徴である花立石と台座石とを連結ピンで連結する施工法について説明したが、これは一実施の形態にすぎない。本考案の趣旨を逸脱しない範囲における設計の変更などがあっても本考案に含まれる。
例えば、上記の説明では、１本の棒を連結ピンとして用いると説明したが、２本以上でも構わない。ただし、１個の花立石１５に２本以上の連結ピンを設ける場合、台座石１１との位置決めの手間がかかるので、１本で十分である。
墓石については、図１に例示するものに限らず、例えば、中台石と竿石との間に蓮華台などを入れた構造のものもあるので、これらの墓石についても本考案が利用できる。
【産業上の利用可能性】
【００２０】
本考案の墓石は、墓石を構成する石の中で最も破損しやすい花立石を、転倒と破損から簡便かつ安価に防止できるので、墓石を扱う石材業における需要が期待できる。
【符号の説明】
【００２１】
１：墓石
１１：台座石
１１Ｈ：有底穴
１５（１５ａ、１５ｂ）：花立石
１５Ｈ：有底穴
１５１：花筒収容空間
１５２：花筒
２０：（連結ピン３０が挿入される）空間
３０：連結ピン
Ｆ：供花
【図１】
0003208655.tif 000003
【図２】
0003208655.tif 000004
【図３】
0003208655.tif 000005
【図４】
0003208655.tif 000006
【図５】
0003208655.tif 000007
【図６】
0003208655.tif 000008